(57)【要約】【課題】巻き糸の外輪郭を一直線となるように維持することができるリールを提供する。【解決手段】釣糸を取り巻くスプール８と、スプール８を長軸方向上に往復運動させるように駆動する伝動装置と、伝動装置によりスプール８上に釣糸７を取り巻く柄部３とを備える。伝動装置には少なくとも一つの楕円形リングを有する。伝動装置は柄部３により駆動される第一リング１０と、第一リング１０により駆動される第二リング１１とを備え、第二リング１１上にガイド部１６のガイド溝１５中に係合する凸部１４を有し、ガイド部１６がスプール８と接続する主軸１８上に設置される。【選択図】　　　図１
0003098283.tif 000002
【実用新案登録請求の範囲】
【請求項１】
釣糸を取り巻くスプールと、
スプールを長軸方向上に往復運動させるように駆動する伝動装置と、
伝動装置によりスプール上に釣糸を取り巻く柄部とを備え、
伝動装置は少なくとも一つの楕円形リングを有することを特徴とするリール。
【請求項２】
伝動装置は、
柄部により駆動される第一リングと、
第一リングと接合し第一リングにより駆動される第二リングとを有し、
第二リング上にガイド部のガイド溝中に係合する凸部を有し、ガイド部がスプールと接続する主軸上に設置されることを特徴とする請求項１に記載のリール。
【請求項３】
第一リングと第二リングは楕円形であることを特徴とする請求項２に記載のリール。
【請求項４】
第二リングは楕円形であり、第一リングは円形を呈し、且つ所定の軸偏向を有することを特徴とする請求項２に記載のリール。
【請求項５】
第一リングは楕円形であり、第二リングは円形を呈し、且つ所定の軸偏向を有することを特徴とする請求項２に記載のリール。
【請求項６】
第一リングと第二リングはプラス歯車であることを特徴とする請求項２に記載のリール。
【請求項７】
第二リングの歯部の数は第一リングの歯部の数より多いことを特徴とする請求項６に記載のリール。
【請求項８】
ガイド溝は直線形であることを特徴とする請求項２に記載のリール。
【請求項９】
ガイド溝は曲線形であることを特徴とする請求項２に記載のリール。
【請求項１０】
ガイド溝の延伸方向とスプールの長軸方向との角度βは９０°以下であることを特徴とする請求項２に記載のリール。
【請求項１１】
第二リング上の凸部及び回旋軸のラインと第二リングの側部軸には角度αを有することを特徴とする請求項２に記載のリール。
【請求項１２】
第一リング及び第二リングの回旋軸を貫通する伝動装置の中軸と主軸には角度ψを有することを特徴とする請求項２に記載のリール。
【請求項１３】
伝動装置は柄部により駆動される楕円形駆動リング、及び円形を呈し主軸に対し軸偏向を有するウォームを備えることを特徴とする請求項２に記載のリール。
【請求項１４】
柄部は伝動軸により第一リングを回転させ、伝動軸上に回転部を駆動する第三リングを設置することにより、スプール上に釣糸を取り巻くことを特徴とする請求項２に記載のリール。
【請求項１５】
釣糸を取り巻くスプールと、
スプールを長軸方向上に往復運動させるように駆動する伝動装置と、
伝動装置によりスプール上に釣糸を取り巻く柄部とを備え、
伝動装置は少なくとも一つの円形リングを有し、円形リングに所定の軸偏向を有することを特徴とするリール。
【請求項１６】
伝動装置は、
柄部により駆動される第一リングと、
第一リングと接合し第一リングにより駆動される第二リングとを有し、
第二リング上にガイド部のガイド溝中に係合する凸部を有し、ガイド部がスプールと接続する主軸上に設置され、第一リング及び第二リングが円形を呈しそれぞれ所定の軸偏向を有することを特徴とする請求項１５に記載のリール。
【考案の詳細な説明】
【０００１】
【考案の属する技術分野】
本考案は釣り用リールに関する物であり、特に巻き糸の外輪郭が直線にほぼ近いリールに関する。
【０００２】
【従来の技術】
従来のリールは伝動装置と、円形歯車及びストレートなガイド溝を有するガイド部を備えるものである。このような伝動装置は釣糸収納部が狭いスプールに適用される。スプールの直径が変わらないことを前提として釣糸の収納部を広くし、スプール上に釣糸をもっと多く取り巻くとしたら、巻き糸の両端に外へ向かい突起が発生する。この突起はスプールの往復運動の端部速度がゼロに下がって発生されたのである。それはスプールが往復方向上のどこに位置付けられても、単位時間でリールによりスプール上に取り巻かれる釣糸の量が最初から固定され、スプールの往復運動によって速度が異なるにともなって変化するのが不可能だからである。使用者は釣糸を投出す時に、このような突起により「オーバー」の現象、即ち相隣る巻き糸が挟まれて投出されたり、めちゃくちゃに巻きついたりすることが発生する。
【０００３】
上述の問題点を改善するためにドイツ特許Ｎｏ．ＤＥ４０３５８４６Ｃ２により提示されたリールはスプールの往復運動の速度を連続変更することで巻き糸の外輪郭を一直線となるように維持するものである。該リールはガイド部が装置され、ガイド部にＳ形ガイド溝を有する。このような配置は巻き糸の品質を改善することが可能であるが、スプールの釣糸の収納部が格別に広い場合、巻き糸の品質がまだ優れていない。アメリカ特許Ｎｏ．５，３５６，０９１により掲示された構造は必要なスプールの往復運動を発生するものであるが、機械負荷に極めて敏感であるし、その製造コストはかなり高い。
【０００４】
【考案が解決しようとする課題】
本考案の主な目的は、巻き糸の外輪郭を一直線となるように維持することができるリールを提供することにある。
【０００５】
【課題を解決するための手段】
上述の目的を達成するために、請求項１に記載される通り、本考案によるリールは釣糸を取り巻くスプールと、スプールを長軸方向上に往復運動させる伝動装置と、スプール上に釣糸を取り巻き、伝動装置を駆動する柄部とを備え、伝動装置に少なくとも一つの楕円形リングを有するものである。
本考案の理念はスプールの往復運動のユーターン点で加速し、往復運動、ユーターン段階の時間を大幅に短縮すると同時に、スプールの往復運動中段の速度をやや緩めることによって、全体の往復運動の過程においてスプールの速度がほぼ一致することである。スプールは前向きに運動し、速く後向きに回転し運動し、且つ往復する速度が均一であるため、巻き糸の外輪郭は極めて真っ直ぐな線となる。したがって、釣糸の収納部を広めるとしても、本考案の簡易な設計により巻き糸の外輪郭をむらのないように維持することが可能である。且つスプールの釣糸の容量が変わらない場合、釣糸の収納部を広めることで巻き糸に外径を増大させず直径の比較的大きいスプールを使用することができ、スプールの直径が比較的大きい場合、釣糸の湾曲程度が比較的小さいため釣糸をもっと遠くまで投出すことが可能である。
【０００６】
そのうち楕円形リングは伝動リングであり、そのリングの縁部には正曲率且つ四個或は四個以上の頂点を有し、往復運動を一致させるために楕円形リングの長短半軸はそれぞれ長さが等しい。
柄部は、伝動装置を駆動しスプールを往復運動させる外に、小歯車により回転部を駆動しスプール上に釣糸を取り巻くものである。但し、回転部は回転せず回転可能なスプールにより糸を取り巻くように設計されてもよい。
【０００７】
請求項２記載のとおり、伝動装置は第一リングと第二リングを備え、第二リングに凸部を有するものである。凸部は中心から偏倚するようにリングの縁部に設置され、ガイド部のガイド溝中に係合される。ガイド部はスプールと接続する主軸上に設置され、凸部は第二リングと一体成型である。このような伝動装置は柄部による回転運動をスプールが長軸方向に沿って往復する運動に変えることができる。
【０００８】
本考案の概念には色々な適用方式が含まれている。例えば請求項３記載のとおり、第一リングと第二リングは楕円形である。
二つの楕円形リングにより等速の回転運動を変速の回転運動に変え、変速の大きさが楕円焦点の距離により決められる。数が違う楕円形リングから組み合わせることで異なる伝動比率に達することが可能である。
一つの楕円形リングを利用するとしても同じ効果を達成することが可能である。請求項４記載のとおり第二リングは楕円形となり、第一リングは円形を呈し、且つ軸偏向を有することで、二つのリングは噛み合わされる。一方、請求項５記載のとおり、第二リングは円形を呈し中心から偏倚し、第一リングは楕円形となる。更に第一リングと第二リングは円形となり、それぞれ軸偏向を有する（請求項１５、１６に示す）。
【０００９】
楕円形リングに中心回転軸を有するのは設計が比較的簡単である。且つ楕円形リングの回転軸を中心から偏倚するように設計することも可能である。すると、格別に大きい変速効果を達成する。
第一リングの回転運動或は機械エネルギーを第二リングに伝送するために、二つのリングを歯車とする（請求項６に示す）。したがって伝動装置は正歯車の伝動装置となり、その歯車の軸が相互平行し且つ歯が周縁に設けられる。しかし、本考案は必ずしも正歯車を使用するのではない。任意の駆動リング或は駆動軸及びその他の駆動ユニット、例えばベルトによる駆動などを使用しても構わない。
【００１０】
歯車は金属から構成されるものであるが、リールの重さを減らすために、プラスチック製歯車を使用することは可能である。プラスチック製歯車を使用するのは傾斜歯車を使用することと同じように、騒音を抑える作用があり、第二リングの歯の数を第一リングの歯の数の二倍にすると（請求項７に示す）、伝動比率は２：１に達し、且つ往復運動の静かな利点を有する。しかし、歯の形状は本考案に直接関係がない。
一個或は複数個の楕円形リングを使用することで、持続往復運動における需要の変速を維持することが可能である。したがって、ガイド部のガイド溝は直線形となるように簡単に設計することが可能である（請求項８に示す）。
曲線形ガイド溝を使用する場合（請求項９に示す）、楕円形リングの形状を適当な形状、例えば特許Ｎｏ．ＤＥ４０３５８４６Ｃ２に使用されるＳ形ガイド溝に変えてもよく、請求範囲の請求項１から請求項６による記載をご参照ください。
【００１１】
格別な利点は請求項１０による実施例において、ガイド部のガイド溝と往復運動方向に９０°以下の角度を有し、ガイド溝の角度を変えることによりスプールの移動距離を増大させるとともに空間の利用が経済的になることである。
請求項１１記載のとおり、第二リングの縁部上における凸部は楕円形第二リングの一側頂点に近いように設置され、第二リングの側部軸との間には角度αを有することで、直径の比較的小さい第二リングを使用することが可能である。但し、角度αはできるだけ小さくし、例えば１５°以下にするのが好ましい。
【００１２】
請求項１２記載のとおり、第一リング及び第二リングの回旋軸のラインはスプールの長軸に傾いて回転する。つまり第一リングの回転軸から両歯面の接触点までの直線と主軸には角度ψを有するものである。すると、スプールの運動を前向きか後向きの時に変速させ、前向き及び後向きの運動をあわせた後、同じように巻き糸の外輪郭を直線となるように維持する効果がある。このような少し傾いて回転する両リングの配置であれば、リール内部の使用可能な空間を有効に利用し、全体の構造を軽く、薄く、短くすると同時にスプールの往復運動のルートを増加させることが可能である。
【００１３】
本考案の概念は、上述のように第一リング及び第二リングが設置される歯車伝動装置に適用する外には、外の伝動装置例えばウォーム伝動装置に適用することも可能である。
請求項１３による実施例では、楕円形の駆動リングを設置し、該駆動リングは円形ウォームを駆動し、ウォーム溝中に嵌合される嵌合部或は従来の偏心伝動装置によりその回転運動が往復運動に変更される。ウォームが主軸に対して軸偏向を有することで、楕円形駆動リング及びウォームは最初から噛み合うように維持される。駆動リングは回転部を駆動することでスプール上に釣糸を取り巻くため、回転部の周期性によりその速度を変える。このような設計であれば、同じようにスプール上の巻き糸はむらのないような外輪郭を有することが可能である。
請求項１４記載のとおり、柄部は伝動軸により第一リンクを回転し、伝動軸上に回転部を駆動する第三リングを設置することで、格別に堅固な構造が得られるだけでなく、コストの縮減が可能である。
【００１４】
【考案の実施の形態】
以下、本考案の実施例を図面に基づいて説明する。
図１、図２に示すように、本考案の第一実施例によるリール１は、伝動軸２に固定される柄部３により駆動される第三リング４を備え、該第三リング４が小歯車５によりリール１の回転部６を回転させ、及び従来の回転部６により所定の直径９を有するスプール８上に釣糸７を取り巻く。
【００１５】
第一リング１０は歯車であって伝動軸２により駆動される。第一リング１０と中心回転軸１２を有する第二リング１１は噛み合わされ、第一、二リングは伝動装置を形成する。円形第一リング１０は軸偏向１３を有する。楕円形第二リング１１は第一リングの歯の数より多い。言い換えれば、柄部３は回転し、第一リング及び第二リングにより減速される。つまり第二リング１１の回転速度は柄部３より遅いものである。
【００１６】
第二リング１１は回転軸１２から偏倚する凸部１４を有し、凸部１４はガイド部１６のガイド溝１５中に係合され、ガイド部１６は連接部１７によりスプール８と連接する主軸１８上に固定されることにより、スプール８を長軸１９−１９方向に沿って往復運動させるように駆動し、そのうち主軸１８と固定し連接する二つの位置決め環部２０が設置され、該位置決め環部２０はガイド部１６の連接部１７の両側に乗せられ、必要な時に主軸１８をその縦向きの中間線に対し回し、回転させ、且つリールのケースがスプール８に背く一側に制御装置２１を設置する。
【００１７】
釣糸の収納部２３の幅２２は一定の程度を越えると、従来のリールは巻き糸の両側に突起２４が発生し、投出し方向２６に沿って釣糸を投出す時に、上述の余計に挟む現象が発生する。本実施例によるリール１の巻き糸２５の外輪郭２４は真っ直ぐな表面を呈する。
図３に示すのは特許Ｎｏ．ＤＥ４０３５８４６Ｃ２により設置されたガイド部のガイド溝２８であり、図４に示すのは凸部が位置Ａから３６０°一回りする運動軌道２９、及び若干の凸部の中間位置３０、そのうちの長軸１９−１９方向が水平である。図５に示すのはガイド溝２８に係合する凸部の運動軌道を示す図であって、横座標が往復距離、縦座標が凸部の相対的な角度位置である。
【００１８】
図４、図５に示すのは凸部の位置Ａ、Ｂ、Ｃ、Ｄであり、これらの位置は凸部及びそれと固定連接する第二リングが一回りする時に９０°角度を置く位置であって、そのうち位置Ａ及びＣが往復運動のユーターン位置である。凸部はある位置から次の位置に移動するために９０°回らなければならない。第二リングはリールのケース上に固定される軸を回り回転するため、リールのケースに対し移動ができず、且つ凸部がガイド部のガイド溝中に係合するため、第二リングが３６０°回転するとスプールを一回往復運動させる。
【００１９】
このような配置を説明するために二つの横座標を加えて示す。そのうち上横座標は角度位置ＡからＢ経由Ｃに至る往復運動を示し、下横座標は角度位置ＣからＤ経由Ａに至る往復運動を示す。上述の如く、このような周知の配置は往復速度がユーターン位置Ａ、Ｃに近づいたら加速し、位置Ｂ、Ｄに減速するものである。
周知の配置と比較してみると、本考案の第二実施例による配置は図６から図８に示すとおりである。図６に示すのは長軸方向１９−１９に垂直する真っ直ぐなガイド溝１５であり、図７に示すのは本実施例による第一リング１０及び対応する楕円形第二リング１１である。第一リング１０は円形となり、軸偏向１３を有し、軸偏向により第一リング１０及び第二リング１１が最初から噛み合わされ、軸偏向１３は第二リングの長短軸の差の１／２値３１であり、第二リング１１の歯の数は比較的小さい第一リング１０の二倍であるため、伝動比率２：１を発生する。したがって、柄部３が等速で回転する場合、第二リング１１の速度は本実施例の第一リング及び第二リングの配置により連続変更される。
【００２０】
図８に示すのは凸部１４の運動軌道であり、第二リング１１上に設置される凸部１４によりガイド部１６は位置ＡからＢ経由Ｃに至り、又Ｄ経由Ａに戻る。第二リング１１は単位時間ごとに回転する角度が連続変更され、ＡからＢまで単位時間ごとに回転する角度が減少し続け、第二リング１１の回転速度が徐々に下がり、凸部が減速する。ＢからＣまで単位時間ごとに回転する角度が増加し続け、第二リング１１の回転速度が徐々に上がり、凸部１４が位置Ｃに至るまで加速する。かえって、ＣからＤまでは単位時間ごとに回転する角度が再び減少し続け、ＤからＡまでは単位時間ごとに回転する角度が再び増加し続けることにより、凸部１４は位置Ａに至るまで加速する。
【００２１】
上述の速度曲線及び伝動装置による工作速度曲線は重なるため、柄部は一回りするごとにスプール８を恒常的に進ませ、お互いに回転運動を連結することでスプール８上の巻き糸２５が真っ直ぐになり、凸部１４が第二リング１１の側部頂点３２の側部軸３３の一角度αからずれていって、図８により相応する往復運動の曲線を示す。
【００２２】
図９から図１１に示すのは本考案の第一実施例である。図１をご参照ください。ガイド溝１５は元の位置からずれていって、主軸１８（或は長軸１９方向）との間に角度αを有するため、スプール８の往復ルートを増大させ、第一リング１０及び第二リング１１の回転軸３５及び１２のライン（即ち伝動装置の中軸）も主軸１８との間に角度ψを有し、図１１に示すようにこのような配置により運動軌道図はある程度の変形を発生するが、前向きか後向きの運動の偏向移動によりお互いに補い合うため、このような配置により巻き糸の輪郭を直線となるように維持することが可能である。
【００２３】
本考案の精神に基づき、伝動装置は多種な設計変化及び方式を備え、図１２に示すように、本考案の第三実施例によるリールでは、伝動装置は楕円形第一リング３６、及び第一リング３６と噛み合う楕円形第二リング３７を備え、第一リング３６が軸偏向３６１を有し、第二リング３７上に凸部３８を有する。又、図１３に示すように、本考案の第四実施例によるリールでは、伝動装置は楕円形第一リング３９、及び第一リング３９と噛み合う円形第二リング４０を備え、第二リング４０が軸偏向４１を有し、第二リング４０上に凸部４２を有する。又、図１４に示すように、本考案の第五実施例によるリールでは、伝動装置は円形第一リング４３、及び第一リング４３と噛み合う円形第二リング４４を備え、その二つリング４３、４４がそれぞれ軸偏向４５、４６を有する。以上の各種の変化方式は全て本考案の効果を達成するものであるため、本考案の請求範囲に含まれるべきである。
【図面の簡単な説明】
【図１】本考案の第一実施例によるリールを示す概略図である。
【図２】図１のリールを矢印ＩＩ方向から見た矢視図である。
【図３】周知の技術（ＤＥ４０３５８４６Ｃ２）であるリールのガイド溝を示す概略図である。
【図４】周知の技術（ＤＥ４０３５８４６Ｃ２）であるリールの凸部の運動軌道を示す説明図である。
【図５】周知の技術（ＤＥ４０３５８４６Ｃ２）であるリールの凸部の運動軌道を示す説明図である。
【図６】本考案の第二実施例によるリールのガイド溝を示す概略図である。
【図７】本考案の第二実施例によるリールの凸部の運動軌道を示す説明図である。
【図８】本考案の第二実施例によるリールの凸部の運動軌道を示す説明図である。
【図９】本考案の第一実施例によるリールのガイド溝を示す概略図である。
【図１０】本考案の第一実施例によるリールの凸部の運動軌道を示す説明図である。
【図１１】本考案の第一実施例によるリールの凸部の運動軌道を示す説明図である。
【図１２】本考案の第三実施例によるリールの伝動装置を示す概略図である。
【図１３】本考案の第四実施例によるリールの伝動装置を示す概略図である。
【図１４】本考案の第五実施例によるリールの伝動装置を示す概略図である。
【符号の説明】
１　　リール
２　　伝動軸
３　　柄部
４　　第三リング
５　　小歯車
６　　回転部
７　　釣糸
８　　スプール
９　　直径
１０　　第一リング
１１　　第二リング
１３　　軸偏向
１４　　凸部
１５　　ガイド溝
１６　　ガイド部
１７　　接続部
１８　　主軸
１９　　長軸
２０　　位置決め環部
２１　　制御装置
２２　　幅
２３　　収納部
２４　　突起部
２５　　巻き糸
２６　　投出し方向
２７　　外輪郭
２８　　ガイド溝
２９　　運動軌道
３０　　中間位置
３１　　差値
３２　　側部頂点
３３　　側部軸
３５　　回転軸
３６　　第一リング
３７　　第二リング
３８　　凸部
３９　　第一リング
４０　　第二リング
４１　　軸偏向
４２　　凸部
４３　　第一リング
４２　　第二リング
４５　　軸偏向
４６　　軸偏向
【図１】
0003098283.tif 000003
【図２】
0003098283.tif 000004
【図３】
0003098283.tif 000005
【図４】
0003098283.tif 000006
【図５】
0003098283.tif 000007
【図６】
0003098283.tif 000008
【図７】
0003098283.tif 000009
【図８】
0003098283.tif 000010
【図９】
0003098283.tif 000011
【図１０】
0003098283.tif 000012
【図１１】
0003098283.tif 000013
【図１２】
0003098283.tif 000014
【図１３】
0003098283.tif 000015
【図１４】
0003098283.tif 000016